(57)【要約】【課題】転写ローラへの出力電流を精度良く制御するとともに尾引き等の画像不良を抑制した良好な転写画像を形成する画像形成装置を提供する。【解決手段】ＣＰＵ２９が入力信号Ｖｉｎに対応して入出力特性信号ｋ１またはｋ２のどちらかを設定し、入力信号Ｖｉｎと入出力特性信号ｋ１またはｋ２を電源２０に出力する。電源２０に入出力特性信号ｋ１が入力されると、電源２０が入出力特性ｋ１のラインに基づいて、入力信号Ｖｉｎに対応する小出力の電流Ｉｏｕｔを二次転写ローラ１３に供給し、また入出力特性信号ｋ２が入力されると、電源２０が入出力特性ｋ２のラインに基づいて、入力信号Ｖｉｎに対応する大出力の電流Ｉｏｕｔを二次転写ローラ１３に供給する。【選択図】図４
2008209599.tif 000002
【特許請求の範囲】
【請求項１】
画像データに対応してトナー像が形成される像担持体と、前記像担持体に形成されたトナー像が転写される中間転写体と、前記中間転写体に形成されたトナー像を記録媒体に転写する転写ローラと、前記転写ローラに印加する電圧に応じた電流を出力する電源と、前記電源の出力電流を制御する信号を出力する制御手段とを備えた画像形成装置において、
前記制御手段は、前記電源に入力される信号をＶｉｎ、前記電源から出力する電流をＩｏｕｔ、前記入力信号Ｖｉｎに対する前記出力電流Ｉｏｕｔの入出力特性Ｉｏｕｔ／Ｖｉｎをｋ、前記電源から小電流を出力するときの入出力特性をｋ１、及び入出力特性ｋ１より大電流を出力するときの入出力特性をｋ２で表すときに、ｋ１＜ｋ２の関係で前記電源の出力電流を制御することを特徴とする画像形成装置。
【請求項２】
温度及び湿度を検出する温湿度センサを備え、前記制御手段は、温湿度が低温度及び低湿度である低温湿領域に応じた信号が入力されたときには、前記入出力特性ｋ１に基づいて前記電源の出力電流を制御して、前記低温湿領域より高い温湿度である高温湿領域に応じた信号が入力されたときには、前記電源の出力電流を前記入出力特性ｋ１またはｋ２に基づいて制御することを特徴とする請求項１に記載の画像形成装置。
【請求項３】
前記転写ローラがイオン導電タイプであることを特徴とする請求項２に記載の画像形成装置。
【請求項４】
記録媒体の含水量が多い湿紙情報を記憶する情報格納手段を備え、前記制御手段は、前記情報格納手段から前記湿紙情報を入力するとともに前記高温湿領域に応じた信号を入力すると前記電源の出力電流を前記入出力特性ｋ２に基づいて制御することを特徴とする請求項２または請求項３に記載の画像形成装置。
【請求項５】
情報入力部材を備え、前記制御手段は、前記情報入力部材から入力された情報に基づいて、前記電源の出力電流を制御することを特徴とする請求項１〜請求項４のいずれかに記載の画像形成装置。
【発明の詳細な説明】
【技術分野】
【０００１】
本発明は、複写機、プリンタ、又はファクシミリ装置等の電子写真プロセスを用いた画像形成装置に関し、特に、中間転写体に形成されたカラー像を記録媒体に転写する転写ローラを備えた画像形成装置に関するものである。
【背景技術】
【０００２】
近年、カラー電子写真画像形成装置においては、温度、湿度などの変化する環境の中ででも安定した転写品質を得る為に、温湿度センサで検出した温度及び湿度をもとに転写ローラに印加される転写電圧の最適値を調整するようにしたものがある。また最適な転写電圧は記録媒体（紙やプラスティックフィルムなど）の体積抵抗および表面抵抗値に応じても変化するため、従来は記録媒体ごとに種々の環境下で実験を行い最適な転写電圧を求めておき、カラー電子写真画像形成装置の環境を温湿度センサにより検知し、記録媒体の種類及び温湿度に応じて転写電圧に制御するようにしている。
【０００３】
しかしながら、このような従来のカラー電子写真画像形成装置では、転写ローラを使用していくうちに、転写ローラを構成する材料に変化が生じ、画像が劣化していくことがある。これは、例えばカーボンタイプのローラにおいてはカーボン鎖が切れていくことにより転写ローラの電気抵抗値が上がり、またイオン導電タイプの転写ローラにおいてはイオン成分が空気中に発散し、同じく電気抵抗値が上がり、電圧不足が発生し、吸着力が不足し、定着不良が発生するという問題点が生じた。
【０００４】
そこでこのような問題の発生を防止しようということで、特許文献１では、転写ローラの劣化に応じた電気抵抗の変化または温湿度センサの出力に応じて、転写ローラに印加する電圧を変化させて、常時転写ローラの状態に応じた最適な転写を行うことができるようにしている。具体的な構成としては、温湿度センサで検出した温湿度と印刷枚数に応じたデータをもとにして、制御手段（ＣＰＵ）からの出力信号がＤ／Ａコンバータでアナログ信号に変換されて電源に入力され、ＣＰＵで割り出された電圧が転写ローラに給電されている。
【特許文献１】特開２０００−９８７７１号公報（段落［０００９］、［００１４］、［００３９］〜［００４２］、図３）
【０００５】
しかしながら、上述した従来技術では、Ｄ／Ａコンバータで変換されたアナログ信号が電源に入力されて、電源から印加電圧に対応した電流が流れるが、電源からの出力電流が電源への入力信号に線形比例しているので、大出力から小出力まで幅広い電流を出力しなくてはならない電源では、出力電流の大小にかかわらずに同程度の出力バラツキが発生する。そのために、小電流を電源から出力するときのバラツキも大きくなり、転写ローラに供給する電流を精度良く制御することが難しくなる。
【０００６】
つまり、平滑紙を転写するときには転写ローラに供給する電流は小さくてよく、電源の入出力特性が線形であると、転写ローラに小電流を供給するにもかかわらず、そのバラツキが大きくなり、転写ローラの電流を精度良く制御しにくくなる。一方、電荷量が低いトナー像を転写した記憶媒体を定着するときには、記憶媒体に含有された水分の蒸発に伴い正規画像の定着方向の下流側に尾を引いたような画像の乱れ（以下「尾引き」という）が発生する。水分の含有量が多い記録媒体、また表面の凹凸が大きい記録媒体、さらに高温多湿の環境下では尾引きの発生が特に顕著になる。この尾引きの発生を抑制するには、転写ローラに大電流を供給しなくてはならない。このように転写ローラに小電流を精度良く制御して供給するとともに、転写ローラに大電流を供給して画像不良を抑制し良好な転写画像を形成しなければならないという課題があった。
【発明の開示】
【発明が解決しようとする課題】
【０００７】
本発明は、上記のような課題を解決するためになされたものであり、転写ローラへの出力電流を精度良く制御するとともに尾引き等の画像不良を抑制した良好な転写画像を形成する画像形成装置を提供することを目的とする。
【課題を解決するための手段】
【０００８】
上記目的を達成するために本発明は、画像データに対応してトナー像が形成される像担持体と、前記像担持体に形成されたトナー像が転写される中間転写体と、前記中間転写体に形成されたトナー像を記録媒体に転写する転写ローラと、前記転写ローラに印加する電圧に応じた電流を出力する電源と、前記電源の出力電流を制御する信号を出力する制御手段とを備えた画像形成装置において、前記制御手段は、前記電源に入力される信号をＶｉｎ、前記電源から出力する電流をＩｏｕｔ、前記入力信号Ｖｉｎに対する前記出力電流Ｉｏｕｔの入出力特性Ｉｏｕｔ／Ｖｉｎをｋ、前記電源から小電流を出力するときの入出力特性をｋ１、及び入出力特性ｋ１より大電流を出力するときの入出力特性をｋ２で表すときに、ｋ１＜ｋ２の関係で前記電源の出力電流を制御することを特徴としている。
【０００９】
この構成によると、像担持体のトナー像が中間転写体に転写され、このトナー像が記録媒体に転写ローラにより転写され、この転写ローラに供給する電流を出力する電源の入力信号に対する入出力特性を可変として、電源から小電流を出力するときの入出力特性が大電流を出力するときに比べて小さくなっている。
【００１０】
また、本発明は、温度及び湿度を検出する温湿度センサを備え、前記制御手段は、温湿度が低温度及び低湿度である低温湿領域に応じた信号が入力されたときには、前記入出力特性ｋ１に基づいて前記電源の出力電流を制御して、前記低温湿領域より高い温湿度である高温湿領域に応じた信号が入力されたときには、前記電源の出力電流を前記入出力特性ｋ１またはｋ２に基づいて制御することを特徴としている。この構成によると、低温低湿であるときには電源の出力電流が入出力特性ｋ１により制御され、高温高湿であるときには電源の出力電流が入出力特性ｋ１またはｋ２により制御される。
【００１１】
また、本発明は、前記転写ローラがイオン導電タイプであることを特徴としている。この構成によると、イオン導電タイプの転写ローラは、その抵抗が環境の温湿度の影響を受けて変動しやすい。
【００１２】
また、本発明は、記録媒体の含水量が多い湿紙情報を記憶する情報格納手段を備え、前記制御手段は、前記情報格納手段から前記湿紙情報を入力するとともに前記高温湿領域に応じた信号を入力すると前記電源の出力電流を前記入出力特性ｋ２に基づいて制御することを特徴としている。この構成によると、高温高湿の環境下において含水量の多い記録媒体を転写するときは、電源の出力電流が入出力特性ｋ２により制御される。
【００１３】
また、本発明は、情報入力部材を備え、前記制御手段は、前記情報入力部材から入力された情報に基づいて、前記電源の出力電流を制御することを特徴としている。この構成によると、情報入力部材の入力情報応じた入出力特性で電源の出力電流が制御される。
【発明の効果】
【００１４】
本発明によると、像担持体のトナー像が中間転写体に転写され、このトナー像が記録媒体に転写ローラにより転写され、転写ローラに供給する電流を出力する電源の入出力特性を可変として、電源から小電流を出力するときの入出力特性が大電流を出力するときに比べて小さくなっているので、小電流を転写ローラに供給するときには出力電流の精度を高くすることができ、また電源から転写ローラに大電流を供給して尾引き等の画像不良を抑制することができる。
【００１５】
また、本発明によると、温湿度センサを備え、温湿度センサの出力が低温度及び低湿度であるときには電源の出力電流が入出力特性ｋ１により制御され、高温高湿であるときには電源の出力電流が入出力特性ｋ１またはｋ２により制御されるので、低温低湿または高温高湿の環境下でも、その環境に応じた電流を精度良く転写ローラに印加して、画像不良を抑制することができる。
【００１６】
また、本発明によると、温湿度センサの出力が高温高湿であるときに情報格納手段から湿紙情報が出力されると、電源の出力電流を入出力特性ｋ２に基づいて制御するので、尾引き等の画像不良を抑制することができ、特にイオン導電タイプの転写ローラでは画像不良を顕著に抑制することができる。
【００１７】
また、本発明によると、情報入力部材の制御手段への入力情報に応じて、電源の出力電流を制御するので、記録媒体の種類、装置の動作状況に応じて、最良の出力電流を選択することができる。
【発明を実施するための最良の形態】
【００１８】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１９】
図１は、本発明の画像形成装置の全体構成を示す概略図である。画像形成装置１００では、印刷動作を行う場合、装置本体内において、図中の反時計回りに回転する像担持体としての感光体ドラム１が帯電ユニット２により一様に帯電される。そして、パーソナルコンピュータ等から画像入力部（図示せず）に入力された原稿画像データに基づいて露光ユニット３から感光体ドラム１上にレーザビームが照射され、感光体ドラム１上に静電潜像が形成される。
【００２０】
感光体ドラム１は、例えばアルミドラムに感光層が積層されたものであり、帯電ユニット２により表面を帯電させるようになっている。そして、露光ユニット３からのレーザビームを受けた表面に帯電を減衰させた静電潜像を形成する。感光層を形成する感光材料としては、アモルファスシリコン感光体や有機感光体（ＯＰＣ感光体）が用いられる。
【００２１】
現像ユニット４は、トナーを感光体ドラム１上に供給するロータリー式であり、現像装置と現像容器が一体化されたカートリッジ式のイエロー、マゼンタ、シアン及びブラックの各色の現像装置４ａ、４ｂ、４ｃ及び４ｄを備えており、現像装置４ａ〜４ｄを感光体ドラム１に対向する位置に順次回転移動させることにより、感光体ドラム１上の静電潜像に正極性トナーが付着されて各色のトナー像が形成される。
【００２２】
中間転写体としての中間転写ベルト５は、トナー像を転写するために、従動ローラ６ａ、一次転写ローラ６ｂ、ベルト駆動ローラ８及び従動ローラ９に掛け渡され、感光体ドラム１に当接しながら図示しない駆動手段により図中の時計回りに回転する。中間転写ベルト５には誘電体樹脂製のシートが用いられ、その両端部を互いに重ね合わせて接合しエンドレス形状にしたベルトや、継ぎ目を有しない（シームレス）ベルトが用いられる。
【００２３】
ユーザにより画像形成開始が入力されると、所定のタイミングにより感光体ドラム１上にイエローのトナー像の形成を行う。そして、負極性の転写バイアスが印加された一次転写ローラ６ｂにより感光体ドラム１上のイエローのトナー像が中間転写ベルト５上に転写される（一次転写）。その後、感光体ドラム１の表面に残留したトナーがクリーニングローラ７ａ及びクリーニングブレード７ｂにより除去され、現像ユニット４は所定量（ここでは９０°）回転して、上記と同様に今度はマゼンタのトナー像が感光体ドラム１上に形成され、中間転写ベルト５上に転写される。
【００２４】
以下、上述と同様の方法により、感光体ドラム１からシアン及びブラックのトナー像が中間転写ベルト５上に転写される。これらの４色の画像は、所定のフルカラー画像形成のために予め定められた所定の位置関係をもって形成される。転写ローラとしての二次転写ローラ１３が中間転写ベルト５の下部に配置され、ベルトクリーニングブレード１４が中間転写ベルト５表面の残留トナーを除去する。
【００２５】
上記のようにトナー像が形成された中間転写ベルト５に向けて、記録媒体としての用紙Ｐが給紙機構１０から給紙ローラ１１及びレジストローラ対１２を経由して搬送され、中間転写ベルト５の表面に順次形成されたフルカラーのトナー像が負極性の転写バイアスが印加された二次転写ローラ１３により用紙Ｐに一度に転写される（二次転写）。そして、転写された用紙Ｐは、定着ローラ４０により加熱及び加圧されてトナー像が用紙Ｐの表面に定着され、所定の画像が形成される。定着装置１５を通過した用紙Ｐは、用紙搬送路１６及び排出ローラ対１７を介して排出トレイ１８に排出される。
【００２６】
図２は、上述の画像形成装置に用いられる本発明の実施形態である二次転写ローラと電源の概略を示す説明図である。
【００２７】
二次転写ローラ１３は、電源２０に接続され、電源２０から電流が供給されると、その電流と二次転写ローラ１３の抵抗に応じたバイアス電圧により、転写ベルト５からトナー像を静電的に引き寄せ、転写ベルト５と二次転写ローラ１３との間に搬送された用紙Ｐにトナー像を転写する。また二次転写ローラ１３は、電源２０に接続された導電性芯金の外周面に発砲ポリウレタン弾性層を設け、この弾性層にイオン導電性を持たせてある。このイオン導電タイプの二次転写ローラ１３は、その抵抗が環境の温湿度の影響を受けて変動しやすく、図３に示すような電流―電圧特性を示す。図３は横軸に二次転写ローラ１３に供給される電流、縦軸に二次転写ローラ１３にバイアスされる電圧である。低温低湿、例えば１０℃、相対湿度１５％ＲＨの環境下では、二次転写ローラ１３の抵抗値が１０8Ωであり、二次転写ローラ１３のバイアス電圧に対してＬＬ曲線に示す電流を供給することになる。逆に高温高湿、例えば３０℃、相対湿度８０％ＲＨの環境下では、二次転写ローラ１３の抵抗値が１０6Ωに変化して、二次転写ローラ１３のバイアス電圧に対してＨＨ曲線に示すように、低温低湿環境下に比べると小さい電流を供給することになる。このように二次転写ローラ１３の抵抗変動は画像の転写不良を招くために、二次転写ローラ１３に供給される電流は、温湿度の変動に応じて制御しなくてはならず、特に小さい電流を供給する低温低湿の環境下では小さいバラツキで制御しなくてはならない。
【００２８】
図２に戻り、電源２０は、電源回路２１、検出回路２２及び制御回路２３で構成される。電圧信号Ｖｉｎが入力されると、検出回路２２が二次転写ローラ１３に通電された電流を電圧値として検出して、その検出結果が制御回路２３に入力され、制御回路２３がその入力値と抵抗２３ａまたは抵抗２３ｂによって定まる基準値と比較制御して、抵抗２３ａ、２３ｂに基づいた電流が電源回路２１から二次転写ローラ１３に供給される。抵抗２３ａ、２３ｂは外部からの信号により切り換え可能である。
【００２９】
図４は、二次転写ローラに電流を供給する電源の制御構成を示すブロック図である。電源２０は、制御手段であるＣＰＵ２９からのデジタル信号がＤ／Ａコンバータ２４でアナログ入力信号Ｖｉｎに変換されてバス３１から入力され、入出力特性信号ｋがバス３２から入力される。入力信号Ｖｉｎと入出力特性信号ｋが電源２０の制御回路２３に送られて、入出力特性信号ｋにより制御回路２３の抵抗２３ａと２３ｂを切り換える。なお、入力信号Ｖｉｎと入出力特性信号ｋについては後述する。
【００３０】
温湿度センサ２５は、本体装置１００の内部に設置されて、装置雰囲気の温度及び湿度を検知する。検知された温度信号と湿度信号がデジタル信号に変換されてＣＰＵ２９に入力される。ＣＰＵ２９では入力した温度信号と湿度信号に基づいて電源２０に出力する入力信号Ｖｉｎを設定する。
【００３１】
情報格納手段２６は、ＣＰＵ２９に接続され、用紙の種別、用紙の幅・厚み、片面印刷か両面印刷などの用紙・動作情報を保存し、用紙・動作情報がＣＰＵ２９に送られ、またＣＰＵ２９から送られた情報を保存している。ＣＰＵ２９では入力した用紙・動作情報に基づいて電源２０に出力する入力信号Ｖｉｎを設定する。
【００３２】
情報入力部材２８は、印刷する用紙Ｐの含水量が多いときにユーザにより操作される。情報入力部材２８が入力操作されると、含水量が多いことを示す湿紙情報が情報入力部材２８からＣＰＵ２９に入力され、さらに情報格納手段２６に送られて、情報格納手段２６に保存される。
【００３３】
入出力特性格納手段２７は、ＣＰＵ２９に接続され、電源２０が二次転写ローラ１３に供給する出力電流Ｉｏｕｔと電源２０に入力される入力信号Ｖｉｎとの比であるＩｏｕｔ／Ｖｉｎに相当する入出力特性信号ｋを保存している。図５により入出力信号ｋについて説明する。図５の横軸は電源２０に入力する入力信号Ｖｉｎ、縦軸は電源２０から二次転写ローラ１３に供給する出力電流Ｉｏｕｔである。入出力特性信号ｋは、図５に示すように入力信号Ｖｉｎの領域に応じて入出力特性信号ｋ１とｋ２の２種類があり、入出力特性信号ｋ１とｋ２が入出力特性格納手段２７に保存されている。入出力特性信号ｋ１が電源２０に入力されると、図２に示す電源２０の抵抗２３ａが選択され、電源２０がその抵抗値に基づいて図５に示すｋ１のラインのＩｏｕｔ／Ｖｉｎの関係で出力電流Ｉｏｕｔを出力する。同様に入出力特性信号ｋ２が電源２０に入力されると、抵抗２３ｂが選択されｋ２のラインのＩｏｕｔ／Ｖｉｎの関係で出力電流Ｉｏｕｔを出力する。
【００３４】
図５において、入力信号Ｖｉｎが小さい領域（図５のｏからｃ）では、出力電流Ｉｏｕｔが入出力特性ｋ１のラインに基づいて設定され、入力信号Ｖｉｎが大きい領域（図５のｃからｄ）では、出力電流Ｉｏｕｔが入出力特性ｋ２のラインに基づいて設定される。入出力特性ｋ１、ｋ２のラインは線形であり、入出力特性ｋ１のラインは入出力特性ｋ２のラインより傾斜が小さく、入出力特性がｋ１＜ｋ２の関係にある。入出力特性ｋ１の線形ラインの傾斜が小さいことにより、入力信号Ｖｉｎが小さい領域と大きい領域とにおいて入力信号Ｖｉｎに同じ量のバラツキＶ１ΔとＶ２Δがあっても、入力信号Ｖｉｎが小さい
領域では、出力電流ＩｏｕｔにおけるバラツキＩ１Δは、入力信号Ｖｉｎが大きい領域の
バラツキＩ２Δより小さくなる。
【００３５】
次に、本発明の画像形成装置による転写プロセスについて説明する。図６はＣＰＵ２９の制御を示すフローチャートである。
【００３６】
ステップ１で、ＣＰＵ２９は情報格納手段２６の情報を参照して、用紙・動作情報及び情報入力部材２８からの湿紙情報を選択する。
【００３７】
次にステップ２で温湿度センサ２５により検出された温度情報と湿度情報が入力される。次にスッテップ３では、用紙・動作情報と温度・湿度情報に基づいて入力信号Ｖｉｎを設定する。ここで温度・湿度情報が低温低湿である場合には、図５に示すｏからｃ領域の入力信号Ｖｉｎが温度・湿度情報の大きさ及び用紙・動作情報に対応して設定される。温度・湿度情報が高温高湿である場合には、図５に示すｏからｄ領域の入力信号Ｖｉｎが温度・湿度情報の大きさ及び用紙・動作情報に対応して設定される。
【００３８】
さらにステップ３では、温度・湿度情報が高温高湿である場合に情報入力部材２８から入力された湿紙情報が選択されていると、図５に示すｃからｄ領域の中で湿紙情報に適した入力信号Ｖｉｎが設定される。次に、ＣＰＵ２９に保存されている、入力信号Ｖｉｎと入出力特性信号ｋとのテーブルを参照して入出力特性信号ｋを設定する。このテーブルは図５に示すｋ１、ｋ２の特性ラインが対応し、入力信号Ｖｉｎがｏからｃ領域では入出力特性信号ｋ１を選択し、入力信号Ｖｉｎがｃからｄ領域では入出力特性信号ｋ２を選択して、設定された入力信号Ｖｉｎに対する入出力特性信号ｋ１またはｋ２を設定する。
【００３９】
次にステップ４で入力信号ＶｉｎをＤ／Ａコンバータ２４に出力し、また入出力特性信号ｋをバス３２より出力して電源２０の制御回路２３に送る。Ｄ／Ａコンバータ２４では、入力信号Ｖｉｎをアナログ信号に変換して電源２０の制御回路２３に送る。
【００４０】
電源２０は、入力信号Ｖｉｎと入出力特性信号ｋ１またはｋ２が入力されると、検出回路２２による検出結果が制御回路２３に入力され、制御回路２３により入出力特性信号ｋ１またはｋ２に基づいて制御して、電源回路２１から出力電流Ｉｏｕｔを二次転写ローラ１３に供給する。ここで電源２０に入出力特性信号ｋ１が入力されていると、制御回路２３では抵抗２３ａに切り換えられ、図５に示すｋ１のラインに基づいて、入力信号Ｖｉｎに対応する出力電流Ｉｏｕｔを二次転写ローラ１３に供給する。同様に入出力特性信号ｋ２が入力されていると、抵抗２３ｂに切り換えられ、図５に示すｋ２のラインに基づいて、入力信号Ｖｉｎに対応する出力電流Ｉｏｕｔを二次転写ローラ１３に供給する。
【００４１】
尚、上記実施形態において、二次転写ローラ１３に大出力電流領域と小出力電流領域との夫々の電流を供給するのに、入出力特性信号ｋに基づいて電源２０の抵抗２３ａ、２３ｂを切り換えているが、これに替えて二つの定電流電源を設けて、入出力特性信号ｋに基づいて、一方の定電流電源を選択して大電流領域の電流を出力し、他方の定電流電源から小電流領域の電流を出力しても良い。
【００４２】
また、上記実施形態において、温度及び湿度を検出しＣＰＵ２９が温度・湿度情報に基づいて入出力特性信号ｋ１またはｋ２を設定しているが、これに替えて湿度を検出して湿度情報のみで入出力特性信号ｋ１またはｋ２を設定しても良い。
【００４３】
また、上記実施形態において、情報入力部材２８により用紙の湿紙情報を入力操作しているが、表面の凹凸が大きい用紙では尾引きが顕著に発生するために、用紙の凹凸情報を情報入力部材２８で入力操作して、大出力電流を電源２０から二次転写ローラ１３に供給するようにしても良い。
【００４４】
上記実施形態によれば、ＣＰＵ２９が入力信号Ｖｉｎに対応して入出力特性信号ｋ１またはｋ２のどちらかを設定し、入力信号Ｖｉｎと入出力特性信号ｋ１またはｋ２を電源２０に出力する。電源２０に入出力特性信号ｋ１が入力されると、図５に示す入出力特性ｋ１のラインに基づいて、電源２０が入力信号Ｖｉｎに対応する小出力の電流Ｉｏｕｔを二次転写ローラ１３に供給し、入出力特性信号ｋ２が入力されると、図５に示す入出力特性ｋ２のラインに基づいて、電源２０が入力信号Ｖｉｎに対応する大出力の電流Ｉｏｕｔを二次転写ローラ１３に供給する。このことにより、二次転写ローラ１３に供給する電流を出力する電源２０の入出力特性を可変として、電源２０から小電流を出力するときの入出力特性が大電流を出力するときに比べて小さくなっているので、小電流を二次転写ローラ１３に供給するときには出力電流の精度を高くすることができ、また電源２０から二次転写ローラ１３に大電流を供給して尾引き等の画像不良を抑制することができる。
【００４５】
また上記実施形態によれば、温湿度センサ２５を備えて、ＣＰＵ２９は入力された温度・湿度情報が低温低湿である場合には、入出力特性信号ｋ１を電源２０に出力し、温度・湿度情報が高温高湿である場合には、入出力特性信号ｋ１またはｋ２を電源２０に出力する。電源２０に入出力特性信号ｋ１またはｋ２が入力されていると、電源２０が図５に示す入出力特性ｋ１、ｋ２のラインに基づいて、入力信号Ｖｉｎに対応する出力電流Ｉｏｕｔを二次転写ローラ１３に供給する。このことにより、低温低湿または高温高湿の環境下でも、その環境に応じた電流を精度良く二次転写ローラ１３に供給して、画像不良を抑制することができる。
【００４６】
また上記実施形態によれば、ＣＰＵ２９は、温湿度センサ２５から高温高湿に応じた信号を入力しているときに、湿紙情報が情報格納手段２６から入力されると、入出力特性信号ｋ２を電源２０に出力し、電源２０が図５に示す入出力特性ｋ２のラインに基づいて、大出力の電流Ｉｏｕｔを二次転写ローラ１３に供給するので、尾引き等の画像不良を抑制することができ、特にイオン導電タイプの二次転写ローラ１３では画像不良を顕著に抑制することができる。
【００４７】
また上記実施形態によれば、情報入力部材２８により入力操作されて情報格納手段２６に保存された湿紙情報がＣＰＵ２９に入力されると、電源２０に出力した入出力特性信号ｋ２により、電源２０が大出力電流Ｉｏｕｔを二次転写ローラ１３に供給し、情報入力部材２８による入力操作がないときには、情報格納手段２６に保存されている用紙・動作情報に基づいて電源２０を制御するので、用紙Ｐの種類、装置の動作状況に応じて、最良の出力電流を選択することができる。
【実施例】
【００４８】
これまで述べた実施形態において、実験により判明したことを説明する。表１は、二次転写ローラ１３に供給する電流と用紙Ｐの種類との関係を評価した実験結果である。
【００４９】
【表１】
2008209599.tif 000003
【００５０】
表１における実験方法については、温度３０℃、相対湿度８０％ＲＨの環境下で、Ａ４幅の坪量７０ｇの用紙ＡとＡ４幅の坪量８０ｇで水分を含む用紙Ｂとを夫々電流２０から２４０μＡまでで転写電流を変化させて転写した。評価において、転写効率の○印は８５％以上、△印は７５％以上で８５％未満及び×印は７５％未満の転写効率を示し、尾引きについては目視により評価して、○印が良好、△印がやや不良及び×印が不良を示す。この実験結果から、用紙Ａでは、その指定電流８０μＡに対して６０μＡから１２０μＡの転写電流の範囲で転写効率と尾引きがともに良好であり、用紙Ｂでは、その指定電流１６０μＡに対して１４０μＡから１８０μＡの転写電流の範囲で転写効率と尾引きがともに良好であった。
【産業上の利用可能性】
【００５１】
本発明は、複写機、プリンタ、ファクシミリ等の画像形成装置に備えられる転写装置に利用することができる。
【図面の簡単な説明】
【００５２】
【図１】は、本発明の実施形態である画像形成装置の全体構成を示す概略図である。
【図２】は、本発明の実施形態である二次転写ローラと電源の概略を示す説明図である。
【図３】は、本発明の実施形態である二次転写ローラの電流―電圧特性を示す図である。
【図４】は、本発明の実施形態である二次転写ローラに供給する電源の制御構成を示すブロック図である。
【図５】は、本発明の実施形態である電源の入出力特性を示す図である。
【図６】は、本発明の実施形態である制御手段の制御を示すフローチャートである。
【符号の説明】
【００５３】
１              感光体ドラム（像担持体）
３              露光ユニット
４              現像ユニット
４ａ〜４ｄ      現像装置
５              中間転写ベルト（中間転写体）
６ａ、８        従動ローラ
６ｂ            一次転写ローラ
９              従動ローラ
１３            二次転写ローラ（転写ローラ）
１４            ベルトクリーニングブレード
２０            電源
２１            電源回路
２２            検出回路
２３            制御回路
２４            Ｄ／Ａコンバータ
２５            温湿度センサ
２６            情報格納手段
２７            入出力特性格納手段
２８            情報入力部材
２９            ＣＰＵ（制御手段）
３１、３２      バス
１００          画像形成装置
Ｐ              用紙
【図１】
2008209599.tif 000004
【図２】
2008209599.tif 000005
【図３】
2008209599.tif 000006
【図４】
2008209599.tif 000007
【図５】
2008209599.tif 000008
【図６】
2008209599.tif 000009